(57)【要約】【課題】野地板及び下葺き材に設けた開口部から雨水が入り込みにくく、かつ製造や施工が容易な野地板換気装置を提供する。【解決手段】底面部１と、立ち上がり部２と、上面部３を有する野地板換気装置であって、底面部１には該野地板換気装置を下葺き材を介して野地板に固定する固定部４が設けられ、立ち上がり部２は底面部１に立設され、上面部３は立ち上がり部２に横設されるとともに少なくとも先端部に斜降部３ａが設けられ、前記上面部３の両側下部及び前記斜降部３ａの下部に換気口Ｖ１、Ｖ２が形成されていることを特徴とする野地板換気装置である。【選択図】図１１
2009052231.tif 000002
【特許請求の範囲】
【請求項１】
底面部と、立ち上がり部と、上面部を有する野地板換気装置であって、底面部には該野地板換気装置を下葺き材を介して野地板に固定する固定部が設けられ、立ち上がり部は底面部に立設され、上面部は立ち上がり部に横設されるとともに少なくとも先端部に斜降部が設けられ、少なくとも前記斜降部の下部に換気口が形成されていることを特徴とする野地板換気装置。
【請求項２】
換気口が斜降部の下部と上面部の両側下部に形成されていることを特徴とする請求項１記載の野地板換気装置。
【請求項３】
固定部の下面又は上下両面にシール材が設けられていることを特徴とする請求項１又は２記載の野地板換気装置。
【請求項４】
上面部内側の長さ方向に止水板が突設されていることを特徴とする請求項１〜３のいずれか１項に記載の野地板換気装置。
【請求項５】
上面部内側の両側端部に止水部が設けられていることを特徴とする請求項１〜４のいずれか１項に記載の野地板換気装置。
【請求項６】
請求項１〜５のいずれか１項に記載の上部換気装置Ａと、通気口を有するシートからなり、該通気口にはメッシュが装着されるとともに、その周囲に止水部が設けられている下部換気装置Ｂとからなることを特徴とする野地板換気装置。
【請求項７】
下部換気装置Ｂの裏面に接着剤層及び離型層が順次積層されていることを特徴とする請求項６記載の野地板換気装置。
【請求項８】
上部換気装置Ａと下部換気装置Ｂとが開閉自在に接合されていることを特徴とする請求項６又は７記載の野地板換気装置。
【請求項９】
下葺き材及び野地板に開口部を設け、該開口部の後端側に請求項１〜５のいずれか１項に記載の野地板換気装置の上面部が開口部を覆うように底面部を固定し、後方から下葺き材上を流下してくる雨水を野地板換気装置の側方に制御するとともに、斜降部により瓦の重合部の隙間から侵入してきた風雨を遮断することを特徴とする小屋裏換気方法。
【請求項１０】
開口部側端が野地板換気装置側端の５０〜１００ｍｍ内側にあることを特徴とする請求項９記載の小屋裏換気方法。
【請求項１１】
開口部の周囲に止水部が設けられていることを特徴とする請求項９又は１０記載の小屋裏換気方法。
【請求項１２】
下葺き材及び野地板に開口部を設け、該開口部の後端側に請求項６〜８のいずれか１項に記載の下部換気装置Ｂの通気口が前記開口部に重なりあうように底面部を固定し、後方から下葺き材上を流下してくる雨水を野地板換気装置の側方に制御するとともに、斜降部により瓦の重合部の隙間から侵入してきた風雨を遮断することを特徴とする小屋裏換気方法。
【請求項１３】
開口部側端が野地板換気装置側端の５０〜１００ｍｍ内側にあることを特徴とする請求項１２記載の小屋裏換気方法。
【発明の詳細な説明】
【技術分野】
【０００１】
本発明は野地板換気装置及び該換気装置を用いた小屋裏換気装置に関し、更に詳しくは、換気口から雨水が入り込みにくく、かつ製造や施工が容易な野地板換気装置、及び該換気装置を用いた小屋裏換気方法に関するものである。
【背景技術】
【０００２】
従来、この種の野地板を利用した換気装置としては、屋根の野地板に開口部を設け、この開口部上に屋根裏換気装置を覆設し、さらにこの上から瓦を葺く屋根裏換気方法が採用されている。
例えば、屋根野地面に設けられた通気口（開口部）と換気装置の換気口との間にジグザグ状通路を設けた換気装置（例えば、特許文献１参照）、屋根野地面に設けられた開口部を覆うカバー体の周縁と開口部周縁との間に目の粗いメッシュを張設した換気屋根構造（例えば、特許文献２参照）、通風口に所定間隔毎に複数の突起を形成した換気用偏平ダクト（例えば、特許文献３参照）等が提案されている。
【０００３】
更に、野地板に設けた開口部に上下２枚の金属板を配して通風間隙を形成する屋根裏の換気工法が提案されている（例えば、特許文献４参照）。
【特許文献１】実開昭５９−１８８２３３号公報（第２図）
【特許文献２】実開平１−１５１５３５号公報（第１図）
【特許文献３】特許第３７５５０９６号公報（図２、図３）
【特許文献４】特開２００１−２０４８０号公報（図１、図２）
【０００４】
しかしながら、換気口（開口部）からの風雨が入りにくい構造とするために、特許文献１ではジグザグ状通路を形成する必要があり、特許文献２ではメッシュを張設する必要があり、特許文献３では複数の突起を形成する必要があり、いずれも構造が複雑となりコストアップとならざるを得ない。
また、屋根の後方（上方、陳方向、以下同じ）側における換気装置の防水は、ルーフィング等の下葺き材を被覆するように敷設することによりなされており、施工に手間が掛かり、また換気装置の端部取り合い部で漏水しやすいという問題を含んでいる。
【０００５】
一方、特許文献４では、通風間隙は２枚の金属板を野地板に対して略平行に配することにより形成されているため、特許文献１〜３に比べて構造は非常に簡単であるが、前方（下方、軒方向）の瓦の重合部の隙間から侵入した風雨が通風間隙に入り込みやすく、漏水しやすいという問題がある。更に、後方の防水は、ルーフィングを延張して被覆することによりなされているため、上記したように、施工に手間が掛かり、また換気装置の端部取り合い部で漏水しやすいという問題も含んでいる。
【発明の開示】
【発明が解決しようとする課題】
【０００６】
本発明は、かかる実情に鑑み、上記従来技術の問題点を解決し、開口部から風雨が入り込みにくいばかりでなく、前方の瓦の重合部の隙間からの風雨の侵入を遮断し、かつ製造や施工が容易な野地板換気装置、及び該換気装置を用いた小屋裏換気方法を提供することを課題とする。
【課題を解決するための手段】
【０００７】
上記課題を解決するための請求項１に係る本発明は、底面部と、立ち上がり部と、上面部を有する野地板換気装置であって、底面部には該野地板換気装置を下葺き材を介して野地板に固定する固定部が設けられ、立ち上がり部は底面部に立設され、上面部は立ち上がり部に横設されるとともに少なくとも先端部に斜降部が設けられ、少なくとも前記斜降部の下部に換気口が形成されていることを特徴とする野地板換気装置を内容とする。
【０００８】
請求項２に係る発明は、換気口が斜降部の下部と上面部の両側下部に形成されていることを特徴とする請求項１記載の野地板換気装置を内容とする。
【０００９】
請求項３に係る発明は、固定部の下面又は上下両面にシール材が設けられていることを特徴とする請求項１又は２記載の野地板換気装置を内容とする。
【００１０】
請求項４に係る発明は、上面部内側の長さ方向に止水板が突設されていることを特徴とする請求項１〜３のいずれか１項に記載の野地板換気装置を内容とする。
【００１１】
請求項５に係る発明は、上面部内側の両側端部に止水部が設けられていることを特徴とする請求項１〜４のいずれか１項に記載の野地板換気装置を内容とする。
【００１２】
請求項６に係る発明は、請求項１〜５のいずれか１項に記載の上部換気装置Ａと、通気口を有するシートからなり、該通気口にはメッシュが装着されるとともに、その周囲に止水部が設けられている下部換気装置Ｂとからなることを特徴とする野地板換気装置を内容とする。
【００１３】
請求項７に係る発明は、下部換気装置Ｂの裏面に接着剤層及び離型層が順次積層されていることを特徴とする請求項６記載の野地板換気装置を内容とする。
【００１４】
請求項８に係る発明は、上部換気装置Ａと下部換気装置Ｂとが開閉自在に接合されていることを特徴とする請求項６又は７記載の野地板換気装置を内容とする。
【００１５】
請求項９に係る発明は、下葺き材及び野地板に開口部を設け、該開口部の後端側に請求項１〜５のいずれか１項に記載の野地板換気装置の上面部が開口部を覆うように底面部を固定し、後方から下葺き材上を流下してくる雨水を野地板換気装置の側方に制御するとともに、斜降部により瓦の重合部の隙間から侵入してきた風雨を遮断することを特徴とする小屋裏換気方法を内容とする。
【００１６】
請求項１０に係る発明は、開口部側端が野地板換気装置側端の５０〜１００ｍｍ内側にあることを特徴とする請求項９記載の小屋裏換気方法を内容とする。
【００１７】
請求項１１に係る発明は、開口部の周囲に止水部が設けられていることを特徴とする請求項９又は１０記載の小屋裏換気方法を内容とする。
【００１８】
請求項１２に係る発明は、下葺き材及び野地板に開口部を設け、該開口部の後端側に請求項６〜８のいずれか１項に記載の下部換気装置Ｂの通気口が前記開口部に重なりあうように底面部を固定し、後方から下葺き材上を流下してくる雨水を野地板換気装置の側方に制御するとともに、斜降部により瓦の隙間から侵入してきた風雨を遮断することを特徴とする小屋裏換気方法を内容とする。
【００１９】
請求項１３に係る発明は、開口部側端が野地板換気装置側端の５０〜１００ｍｍ内側にあることを特徴とする請求項１２記載の小屋裏換気方法を内容とする。
【発明の効果】
【００２０】
本発明の野地板換気装置は、底面部の固定部をビス等にて下葺き材を介して野地板に固定し、立ち上がり部が底面部から立設されているため、後方から下葺き材上を流下してきた雨水は野地板換気装置の側部を迂回し、開口部から流れ込むことがない。
また、立ち上がり部から横設された上面部は少なくともその先端部に斜降部が設けられているため、前方の瓦の重合部の隙間から飛来侵入した風雨はこの斜降部により換気装置の外側、即ち、該換気装置と瓦との間に誘導されるとともに、風雨の一部は該斜降部により堰止められ、開口部から屋内への流入が阻止される。
下葺き材及び野地板に設けた開口部から上昇してきた空気は、斜降部の下部に形成された換気口より排気（換気）される。
さらに、本発明の野地板換気装置は、構造が単純であるため押出成形等により容易に製造でき、安価な野地板換気装置を提供することができる。
【００２１】
請求項２に係る発明の野地板換気装置は、斜降部の下部と上面部の両側下部に換気口が形成されているので、一層換気能力に優れている。
【００２２】
請求項３に係る発明の野地板換気装置は、固定部の下面又は上下両面にシール材が設けられているため、底面部と下葺き材との間、底面部のビス等の穴がシールされ、雨水の内部への侵入が一層確実に阻止される。
【００２３】
請求項４に係る発明の野地板換気装置は、上面部内側の長さ方向に止水板が突設されているため、万一、前方の瓦の重合部の隙間から斜降部内に風雨が流入してきたとしても該止水板により阻止され、開口部への流入がより確実に防止される。
【００２４】
請求項５に係る発明の小屋裏換気方法は、上面部内側の両側端部に止水部が設けられているため、横方向からの風雨の侵入が阻止される。
【００２５】
請求項６に係る発明の野地板換気装置は、上部換気装置Ａと、通気口を有するシートからなり、該通気口にはメッシュが装着されるとともに、その周囲に止水部が設けられている下部換気装置Ｂとからなるため、例えば、下葺き材や野地板を寸法以上に切断した場合においても下部換気装置Ｂが被覆することにより防水される。また、通気口にメッシュが装着されているので、虫等の侵入が阻止されるとともに、シートが軟質素材からなる場合は補強の機能が発揮される。更に、通気口の周囲に止水部が設けられているので、通気口への雨水の侵入が阻止される。
【００２６】
請求項７に係る発明の野地板換気装置は、下部換気装置Ｂの裏面に接着剤層及び離型層が順次積層されているため、施工現場において、離型層を除去して露出させた接着剤層により簡単に接着することができるので作業性が高められる。
【００２７】
請求項８に係る発明の野地板換気装置は、上記換気装置Ａと下部換気装置Ｂとが開閉自在に接合されているため、上部換気装置Ａを開いた状態で下葺き材及び野地板に設けられた開口部に通気口が重なり合うように位置決めして下部換気装置Ｂを設置すれば、上記換気装置Ａは蓋をするように閉じるだけでよく、改めて上部換気装置Ａの位置決めは不要であるから作業性は大巾に高められる。
【００２８】
請求項９に係る発明の小屋裏換気方法は、下葺き材及び野地板に開口部を設け、該開口部の後端側に、請求項１〜４のいずれか１項に記載の野地板換気装置の上面部が開口部を覆うように底面部を固定し、後方から下葺き材上を流下してくる雨水を野地板換気装置の側方に制御され、前方の瓦の重合部隙間から侵入した風雨はこの斜降部により換気装置の外側、即ち、該換気装置と瓦との間に誘導されるとともに、風雨の一部は該斜降部により遮断され、開口部からの風雨の侵入が阻止される。
さらに、野地板換気装置は構造が単純であるため底面部をビスや釘で野地板（下葺き材を介して）に打ち付けるなどの方法により容易に設置することが出来る。
【００２９】
請求項１０に係る発明の小屋裏換気方法は、開口部側端が野地板換気装置側端の５０〜１００ｍｍ内側にあるため、横方向から雨水が入り込もうとしても開口部まで到達せず、屋内には流れ込まない。
【００３０】
請求項１１に係る発明の小屋裏換気方法は、開口部の周囲に止水部を設けているため、万一、雨水が漏れ出したとしてもこの止水部に堰止められ、屋内には流れ込まない。
【００３１】
請求項１２に係る発明の小屋裏換気方法は、下葺き材及び野地板に開口部を設け、該開口部の後端側に請求項５〜７のいずれか１項に記載の下部換気装置Ｂの通気口が前記開口部に重なり合うように底面部を固定することにより、後方から下葺き材上を流下してくる雨水を野地板換気装置の側方に制御され、瓦の重合部の隙間から侵入してきた風雨は斜降部により換気装置の外側、即ち、該換気装置と瓦との間に誘導されるとともに、風雨の一部は該斜降部により遮断され、開口部からの風雨の侵入が阻止される。
【００３２】
請求項１３に係る発明の小屋裏換気方法は、開口部側端が野地板換気装置側端の５０〜１００ｍｍ内側にあるため、横方向から雨水が入り込もうとしても開口部まで到達せず、屋内には流れ込まない。
【発明を実施するための最良の形態】
【００３３】
本発明の第１の野地板換気装置は、図１〜図６に例示するように、底面部１と、立ち上がり部２と、上面部３を有する野地板換気装置であって、底面部１には該野地板換気装置を下葺き材を介して野地板に固定する固定部４が設けられ、立ち上がり部２は底面部１に立設され、上面部３は立ち上がり部２に横設されるとともに該上面部３の少なくとも先端部に斜降部３ａが設けられ、少なくとも前記斜降部の下部に換気口Ｖ１が設けられ、好ましくは、更に前記上面部３の両側下部にも換気口Ｖ２が形成されていることを特徴とする。
尚、以下の図面において、左側は前方、即ち、下方、軒方向を示し、右側は後方、即ち、上方、陳方向を示す。
【００３４】
本発明における野地板換気装置の素材は、雨水に侵食されない素材であれば特に制限されないが、造形性（成形性）、耐久性の面からプラスチック、金属製が好ましい。
本発明に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。
また本発明に用いられる金属としては特に制限されないが、鉄、銅、アルミ、ステンレス等が挙げられる。
【００３５】
底面部１は、野地板換気装置を下葺き材を介して野地板に取り付けるためのもので、ビス、釘等の固定手段を挿通するための孔からなる固定部４が穿設される。
【００３６】
底面部１の下面又は上下両面には、シール材を設けることができる。図６では下面にシール材５ａ、上面にシール材５ｂを設けた例を示している。下面のシール材５ａは、底面部と下葺き材との間をシールし、万一、雨水が下葺き材上を後方から流下してきたとしてもこれを阻止することができる。また、上面のシール材５ｂは、固定部４をシールし、ビスや釘の部分からの雨水の侵入を阻止する。
シール材としては、ＥＰＤＭシーラー、軟質ウレタンフォーム、ポリエチレンフォーム、ＥＰＤＭゴムシート、ブチルゴムシート等が挙げられる。シール材は１〜３ｍｍ程度の厚さのものが好ましく、粘着テープや接着剤等により貼着される。接着剤としては、アクリル接着剤、ブチルゴム接着剤等が好適である。
【００３７】
立ち上がり部２は底面部１に立設される。立ち上がり部２は下葺き材と野地板に設けた開口部上に、上面部３とともに、開口部から上昇してきた空気を排気するための空間部を形成するとともに、後方から流下してくる雨水を堰止めて側方に制御する。立ち上がり部２と底面部１との角度は特に制限されないが、略９０度〜１３５度程度が好ましい。１３５度を越えると開口部上に、上面部３とともに形成される空間部が小さくなる傾向があり、従って、開口部から上昇してきた空気の換気能力（排気量）が小さくなる。
【００３８】
上面部３は立ち上がり部２に横設される。上面部３は上記したように、開口部より上昇してきた空気を排気するための空間部を形成し、該空気を換気装置外に誘導するとともに、前方の瓦の隙間から入り込んできた風雨を換気装置と瓦との間に誘導し換気装置内への侵入を阻止する。この機能を十分に発揮するために、上面部３には少なくとも先端部に斜降部３ａが設けられる。上面部３は、上記した如く、立ち上がり部２とともに開口部上に該開口部から上昇してきた空気を排気するために一定の空間部を形成する必要がある。従って、十分な換気能力を確保するためには、図１に示すように上面部３の全体を斜降部とするよりは、図２〜図６に示すように上面部３の先端部寄り、好ましくは上面部の１／２よりも先端部寄りを斜降部３ａとするのが好ましい。
この斜降部３ａにより、前方の瓦の隙間から侵入してきた風雨は斜降部３ａの上方に誘導され、換気装置と瓦との間に誘導されるとともに、一部の風雨は斜降部３ａに堰止められ、下方の下葺き材上に落下する。
【００３９】
斜降部３ａはその先端が低くなり下葺き材との距離が小さくなると空気の換気量（排気量）が小さくなり、一方、高くなり下葺き材との距離が大きくなると、前方の瓦の隙間から入り込んできた風雨を阻止する効果が小さくなるので、両者を勘案して適宜決定すればよいが、通常、前方の瓦尻の高さの２／３以下程度が好ましく、２／３〜１／３程度の間がより好ましい。一般に、瓦尻の高さは２０〜４５ｍｍ程度であるので、７〜３０ｍｍ程度が好ましく、より好ましくは１０〜２０ｍｍ程度である。
【００４０】
斜降部３ａを含む上面部３には、図４に示すように、その内側の長さ方向に、止水板６を突設することもできる。この止水板６は、万一、斜降部３ａの内側に侵入してきた風雨を堰止めるもので、接着剤等により後付けすることもできるが、換気装置の成形時に設けるのが好ましい。突設高さは適宜決定すればよいが、通常、５〜２０ｍｍ程度のものが例示される。尚、図４では止水板６を１枚設けた例を示したが、必要に応じ、適宜間隔を置いて複数枚列設してもよく、また、複数枚列設する場合は、突設高さを異ならしめてもよい。
【００４１】
また、斜降部３ａを含む上面部３には、図５に示すように、その内側両側端部を止水部７を設けることもできる。この止水部７は左右横方向からの風雨を阻止する効果がある。止水部７としては、素材は特に制限されないが、上記したシール材を用いることもでき、高さも適宜決定すればよいが、通常１０〜２０ｍｍ程度の高さのものが例示される。
【００４２】
本発明の第２の野地板換気装置は、図７〜図１０に示すように、上記した換気装置からなる上部換気装置Ａと、通気口８を有するシート９からなり、該通気口８にはメッシュ１０が装着されるとともに、その周囲に止水部１１が設けられている下部換気装置Ｂとからなることを特徴とする。
【００４３】
換気装置Ｂは、下葺き材１５や野地板１６を寸法以上に切断したような場合において、余分な切断部を被覆し防水性を付与する役割を果たし、また、通気口８のメッシュ１０が防虫の役割を果たすとともに、特にシート９が軟質素材からなる場合には通気口８の補強の役割も果たす。また、通気口８の周囲の止水部１１は通気口８への雨水の侵入を阻止する役割を果たす。
【００４４】
下部換気装置Ｂは、図７〜図１０に示すように、上部換気装置Ａと一緒に使用されるもので、通気口８は下葺き材１５と野地板１６に設けられた開口部１２（図９参照）と略同じサイズで、その周囲には止水部１１が設けられる。この止水部１１は通気口８の全周に設けてもよく、また、一部に設けてもよい。一部に設ける場合は、前方からの雨水は殆ど換気装置の斜降部により阻止されるので、図示した如く、残りの三方に設けることもできる。
【００４５】
シート９は軟質素材でも硬質素材でもよく、軟質素材としては上記したシール材の素材が例示され、また硬質素材としては、上記した野地板換気装置の素材が例示される。
軟質素材は下葺き材との馴染み易く、また形状追従性が良いので、上記した下葺き材の余分の切断部にもよく適合して優れた防水性を付与することができる。
【００４６】
メッシュ１０は金属でも樹脂でもよく、メッシュのサイズは防虫の目的が達成されるように選ばれる。また、止水部１１は、上記した止水部７と同様のものが例示される。
【００４７】
下部換気装置Ｂは、図８に示すように、裏面に接着剤層１３と離型層１４を順次積層することができる。このように構成することにより、施工現場で離型層１４を剥離除去するだけで、接着剤層１３により所定の場所に取り付けることができ作業性が向上する。もっとも、下部換気装置Ｂは、接着剤の他、ビスや釘等によっても取り付けることが可能である。
【００４８】
上部換気装置Ａと下部換気装置Ｂとからなる野地板換気装置は、図９〜図１０に示すように、先ず下部換気装置Ｂの通気口８が下葺き材１５及び野地板１６に設けられた開口部１２に重なり合うようにビス１７等で野地板１６に取り付ける。尚、上部換気装置Ａとしては、図６で示したものを用いている。
図１０（ａ）（ｂ）は、図９のＧ−Ｇ断面図、Ｈ−Ｈ断面図であるが、室内から上昇してきた空気は開口部１２を通過し、下部換気装置Ｂのメッシュ入りの通気孔８を通り、上部換気装置Ａ内を矢示するように誘導され、斜降部３ａの下部の換気口Ｖ１（図１０（ａ）参照）、及び上面部３の両側下部の換気口Ｖ２（図１０（ｂ）参照）から排出される。
【００４９】
上部換気装置Ａの斜降部３ａの先端と開口部１２の前方端との距離Ｌ１は５０〜１００ｍｍ程度であることが好ましく、即ち、開口部１２の前方端が斜降部３ａの先端より５０〜１００ｍｍ程度内側であることが好ましい。また、上部換気装置Ａの側端と開口部１２の側端との距離Ｌ２は５０〜１００ｍｍ程度であることが好ましく、即ち、開口部１２の側端が該装置Ａの側端より５０〜１００ｍｍ程度内側であることが好ましい。Ｌ１、Ｌ２が５０ｍｍ未満では水しぶき等の雨水が入りやすく、一方、１００ｍｍを越えると換気能力が低くなるばかりでなく、コストアップとなる傾向がある。
尚、上記した寸法関係については、下部換気装置Ｂを使用しない第１の野地板換気装置と開口部との関係についてもそのまま当てはまるものである。
【００５０】
更に、上記の如く、寸法関係を調整する代わりに、例えば、換気装置の両側にキャップを施して換気口Ｖ２を閉鎖することも可能である。しかしながら、この場合はコストアップとなり、側方からの換気ができなくなり、また、圧力のある雨水が換気装置内に入った場合、逃げ場（空気抜き）がなく、開口部から室内に雨水が入りやすくなる、等の問題があるので、換気口Ｖ１とともに換気口Ｖ２を設けることが好ましい。
【００５１】
また、本例では、上部換気装置Ａとして、斜降部３ａを含む上面部３に止水部７を設けたものを使用し、また下部換気装置Ｂとして通気口８の三方に止水部１１を設けたものを使用したので、図１０（ｂ）に示すように、ジグザグ状の通気路が形成され、雨水は止水部７と１１とにより開口部１２への侵入を阻止される。
【００５２】
次に、本発明の野地板換気装置を用いた小屋裏換気方法について説明する。
先ず、本発明の第１の野地板換気装置Ｄ１を用いた小屋裏換気方法を図１１に基づいて説明すると、下葺き材１５及び野地板１６に開口部１２を設け、該開口部１２の後端側に野地板換気装置Ｄ１（図２に示したもの）の斜降部３ａを含む上面部３が開口部１２を覆うように底面部１をビス１７等により野地板１６を取り付ける。１８は瓦桟、１９、１９ａは瓦である。
前方の瓦１９ａの瓦尻の高さと換気装置Ｄ１の斜降部３ａの高さとの関係は、前記したように、斜降部３ａの高さが瓦尻の高さの２／３〜１／３程度が好ましい。また、斜降部３ａと瓦尻との距離Ｌ３は１０〜２５ｍｍ程度が好ましい。距離Ｌ３が１０ｍｍ未満では換気能力（排気量）が十分でなく、一方、２５ｍｍを越えると風雨が換気装置内に入りやすくなる傾向がある。
開口部１２から上昇してきた空気は、換気装置Ｄ１内を実線で矢示した如く誘導され換気装置Ｄ１の外に排出される。一方、前方の瓦の重合部の隙間から侵入してきた風雨は、破線で矢示した如く換気装置Ｄ１の斜降部３ａにより該装置Ｄ１と瓦１９との間に誘導され、風雨の一部は斜降部３ａに衝突して下葺き材１５上に落下し、その結果、風雨の開口部１２への流入は阻止される。
【００５３】
次に、本発明の第２の野地板換気装置を用いた小屋裏換気方法を図１２に基づいて説明するが、基本的には、上部換気装置Ａと下部換気装置Ｂ（図６に示した上部換気装置Ａと図８に示した下部換気装置Ｂを使用）とからなる野地板換気装置Ｄ２を用いた他は図１１の場合と同様である。
即ち、図８に示した下部換気装置Ｂの離型層１４を剥離除去して接着剤層１３を露出させ、通気口８が下葺き材１５及び野地板１６に設けた開口部１２に重なり合うように、接着剤層１３を介して下葺き材１５に接着し、次いで、図６に示した上部換気装置Ａの斜降部３ａを含む上面部３が開口部１２を覆うように底面部１をビス１７等により野地板１６に取り付ける。
開口部１２から上昇してきた空気の排出及び前方の瓦の隙間から侵入してきた風雨の阻止については、図１１の場合と同様である。
【産業上の利用可能性】
【００５４】
上記したとおり、本発明の野地板換気装置及び小屋裏換気方法は、野地板の上の下葺き材の後方から流下してきた雨水を野地板換気装置の側部に迂回させるように制御するとともに、前方の瓦と瓦の重合部の隙間から侵入してきた風雨を該換気装置の外側、即ち、該換気装置と瓦との間に誘導するとともに該換気装置内への侵入を遮断するようにしたことにより、屋内への雨水の侵入を効果的に防止することが出来る。また、本発明の野地板換気装置は構造が簡単であるので製造が容易でコスト的にも安価であり、極めて有用性の高いものである。
【図面の簡単な説明】
【００５５】
【図１】野地板換気装置の一例を示すもので、（ａ）は斜視図、（ｂ）はＡ−Ａ断面図である。
【図２】野地板換気装置の他の例を示すもので、（ａ）は斜視図、（ｂ）はＢ−Ｂ断面図である。
【図３】野地板換気装置の他の例を示すもので、（ａ）は斜視図、（ｂ）はＣ−Ｃ断面図である。
【図４】野地板換気装置の他の例を示すもので、（ａ）は斜視図、（ｂ）はＤ−Ｄ断面図である。
【図５】野地板換気装置の他の例を示すもので、（ａ）は斜視図、（ｂ）はＥ−Ｅ断面図である。
【図６】野地板換気装置の他の例を示すもので、（ａ）は斜視図、（ｂ）はＦ−Ｆ断面図である。
【図７】野地板換気装置の下部換気装置Ｂの一例を示す斜視図である。
【図８】野地板換気装置の下部換気装置Ｂの他の例を示す斜視図である。
【図９】上部換気装置Ａと下部換気装置Ｂとからなる野地板換気装置の説明図である。
【図１０】図９の上部換気装置Ａと下部換気装置Ｂからなる野地板換気装置を取り付けた状態を示すもので、（ａ）は図９のＧ−Ｇ断面図、（ｂ）は図９のＨ−Ｈ断面図である。
【図１１】小屋裏換気方法の一例を示す断面図である。
【図１２】小屋裏換気方法の他の例を示す断面図である。
【符号の説明】
【００５６】
１  底面部
２  立ち上がり部
３  上面部
３ａ  斜降部
４  固定部
５ａ、５ｂ  シール材
６  止水板
７  止水部
８  通気口
９  シート
１０  メッシュ
１１  止水部
１２  開口部
１３  接着剤層
１４  離型層
１５  下葺き材
１６  野地板
１７  ビス
Ｄ１、Ｄ２  野地板換気装置
Ｖ１、Ｖ２  換気口
【図１】
2009052231.tif 000003
【図２】
2009052231.tif 000004
【図３】
2009052231.tif 000005
【図４】
2009052231.tif 000006
【図５】
2009052231.tif 000007
【図６】
2009052231.tif 000008
【図７】
2009052231.tif 000009
【図８】
2009052231.tif 000010
【図９】
2009052231.tif 000011
【図１０】
2009052231.tif 000012
【図１１】
2009052231.tif 000013
【図１２】
2009052231.tif 000014